(57)【特許請求の範囲】
【請求項１】
扉付収納装置であって、
少なくとも前面と下面とが開放された収納体と、
前記収納体の中に収納される棚本体と、
前記収納体の前記前面を開閉自在に塞ぐと共に、開状態では前記棚本体の下方に移動し、その背面が棚の機能を発揮する扉と、
前記棚本体と前記扉とを連動させるアーム体とを備え、
前記棚本体は、前記扉の前記開状態への移動に伴って下方に移動する、扉付収納装置。
【請求項２】
前記アーム体は、前記収納体の側面と前記棚本体の前記収納体側の側板との間に配置され、その位置で移動自在となるように前記棚本体の幅方向に延びる所定の軸の周りに回動自在に接続される、請求項１記載の扉付収納装置。
【請求項３】
前記側板は、前記収納体の前記側面に対して上下にのみ移動するように係合する、請求項２記載の扉付収納装置。
【請求項４】
前記アーム体は、前記軸への接続部を中心として前記扉に接続される第１部分と前記収納体の前記側面に係合する第２部分とからなるＬ字状の平板を含む、請求項２又は請求項３記載の扉付収納装置。
【請求項５】
前記第２部分の先端部にはローラが設けられると共に、前記側面には前記ローラが移動自在に係合するガイド溝が設けられ、
前記ガイド溝は、前記棚本体が最上方位置にある時の前記第２部分の前記先端部の位置を始点とすると共に前記棚本体が最下方位置にある時の前記第２部分の前記先端部の位置を終点とする曲線形状に形成される、請求項４記載の扉付収納装置。
【請求項６】
前記アーム体は、前記軸の周りにおいて前記扉を閉状態に向かう方向に付勢される、請求項３から請求項５のいずれかに記載の扉付収納装置。
【請求項７】
前記扉を閉状態にした時、上昇した前記棚本体の底面と前記扉の外面とで前記収納体の内部が囲われる、請求項１から請求項６のいずれかに記載の扉付収納装置。
【発明の詳細な説明】
【技術分野】
【０００１】
この発明は扉付収納装置に関し、特に、キッチンの吊戸棚の下面等に取付けられる扉付収納装置に関するものである。
【背景技術】
【０００２】
調味料等を収納する、又は調理時に皿等を一時的に載せる仮置き棚として使用するために、キッチンの吊戸棚の下面に取付ける種々の扉付収納装置や昇降棚装置等が提案されている。
【０００３】
図１１は特許文献１で開示された昇降棚装置の開状態を示す概略斜視図であり、図１２は図１１で示したＸＩＩ−ＸＩＩラインの拡大断面図である。
【０００４】
これらの図を参照して、昇降棚装置７０は、キッチンの壁面や天井に取付けられた吊戸棚８０の下面であって、前方側（図１２の左側）の照明装置８１の後方側（図１２の右側）に取付けられている。尚、昇降棚装置７０は左右対称に構成されているため、以降では昇降棚装置７０の左側部分（図１２で示す部分）を中心に説明する。
【０００５】
昇降棚装置７０は、図で示す開状態において仮置き棚としての機能を発揮する二段の棚板７１、７２を備えている。又、吊戸棚８０の下面に取付けられた取付部材７９と上方側の棚板７１の幅方向（図１２の貫通方向）の端部との間には、前後に略平行に配置された一対の上アーム７３ａ、７３ｂが回動自在に接続されている。更に、上方側の棚板７１の幅方向の端部と下方側の棚板７２の幅方向の端部との間には、前後に略平行に配置された一対の下アーム７４ａ、７４ｂが回動自在に接続されている。この上アーム７３ａ、７３ｂ及び下アーム７４ａ、７４ｂによって、棚板７１、７２は水平状態を保ったまま昇降自在となる。
【０００６】
又、昇降棚装置７０は、その一方端が取付部材７９に回動自在に接続され、他方端が上アーム７３ｂに接続された、付勢手段であるガススプリング７７を備えている。ガススプリング７７は、図で示す開状態においては上アーム７３ｂを棚板７１が降下する方向に付勢するため、各部材の配置態様が保持される。
【０００７】
又、開状態における昇降棚装置７０の棚板７１、７２は、後述する閉状態より下方側に位置しているため、使用者にとって適度な高さになると共に、使用時において照明装置８１等に阻害されることが無い。
【０００８】
このような昇降棚装置７０は、下方側の棚板７２の下面に形成された溝状の手掛部７５を掴んで上方に押し上げると、上アーム７３ａ、７３ｂ及び下アーム７４ａ、７４ｂが同時に回動して逆くの字形状となる。すると、棚板７１、７２が水平状態のまま上昇して、以下で示す閉状態となる。
【０００９】
図１３は図１１で示した昇降棚装置の閉状態を示す断面図であって、図１２に対応するものである。
【００１０】
図を参照して、閉状態の昇降棚装置７０にあっては、上アーム７３ａ、７３ｂ及び下アーム７４ａ、７４ｂが折畳まれ、棚板７１、７２が照明装置８１の後方側で重なるような配置状態となる。そして、ガススプリング７７は、図で示す閉状態においては上アーム７３ｂを棚板７１が上昇する方向に付勢するため、各部材の配置態様が保持される。従って、不使用時（閉状態）においてはコンパクトに収容することができる。
又、上述したような昇降棚装置７０に限らず、例えば棚板や収納棚に接続される複数のアームがクロス状に形成されているものもある。
【先行技術文献】
【特許文献】
【００１１】
【特許文献１】特開２００７−１７５３３３号公報
【発明の概要】
【発明が解決しようとする課題】
【００１２】
上記のような従来の昇降棚装置等では、前後に略平行に配置された一対のアームやクロス状に形成されたアーム等、棚板の支持部毎に複数のアームが必要となる。そのため、装置全体の構造が複雑であった。
【００１３】
又、特許文献１で開示された昇降棚装置においては、調味料等を常時収納できる収納部が設けられておらず、仮置き棚としての使用のみに限定されてしまうため、使用用途の限られた昇降棚装置となっていた。
【００１４】
この発明は、上記のような課題を解決するためになされたもので、収納棚及び仮置棚機能を有すると共に、簡易な構造で使い勝手の良い扉付収納装置を提供することを目的とする。
【課題を解決するための手段】
【００１５】
上記の目的を達成するために、請求項１記載の発明は、扉付収納装置であって、少なくとも前面と下面とが開放された収納体と、収納体の中に収納される棚本体と、収納体の前面を開閉自在に塞ぐと共に、開状態では棚本体の下方に移動し、その背面が棚の機能を発揮する扉と、棚本体と扉とを連動させるアーム体とを備え、棚本体は、扉の開状態への移動に伴って下方に移動するものである。
【００１６】
このように構成すると、棚本体は扉の開状態への移動に応じて下方に移動する。
【００１７】
請求項２記載の発明は、請求項１記載の発明の構成において、アーム体は、収納体の側面と棚本体の収納体側の側板との間に配置され、その位置で移動自在となるように棚本体の幅方向に延びる所定の軸の周りに回動自在に接続されるものである。
【００１８】
このように構成すると、アーム体は棚本体の側板の外側で移動する。
【００１９】
請求項３記載の発明は、請求項２記載の発明の構成において、側板は、収納体の側面に対して上下にのみ移動するように係合するものである。
【００２０】
このように構成すると、棚本体は移動時に傾かない。
【００２１】
請求項４記載の発明は、請求項２又は請求項３記載の発明の構成において、アーム体は、軸への接続部を中心として扉に接続される第１部分と収納体の側面に係合する第２部分とからなるＬ字状の平板を含むものである。
【００２２】
このように構成すると、アーム体への荷重はその面内に生じる。
【００２３】
請求項５記載の発明は、請求項４記載の発明の構成において、第２部分の先端部にはローラが設けられると共に、側面にはローラが移動自在に係合するガイド溝が設けられ、ガイド溝は、棚本体が最上方位置にある時の第２部分の先端部の位置を始点とすると共に棚本体が最下方位置にある時の第２部分の先端部の位置を終点とする曲線形状に形成されるものである。
【００２４】
このように構成すると、ローラの下方への移動に伴い、アーム体が回動する軸の位置が下方に移動する。
【００２５】
請求項６記載の発明は、請求項３から請求項５のいずれかに記載の発明の構成において、アーム体は、軸の周りにおいて扉を閉状態に向かう方向に付勢されるものである。
【００２６】
このように構成すると、扉の閉状態への移動に要する力が軽減される。
【００２７】
請求項７記載の発明は、請求項１から請求項６のいずれかに記載の発明の構成において、扉を閉状態にした時、上昇した棚本体の底面と扉の外面とで収納体の内部が囲われるものである。
【００２８】
このように構成すると、収納体の前面及び下面を塞ぐための部材を別途必要としない。
【発明の効果】
【００２９】
以上説明したように、請求項１記載の発明は、棚本体は扉の開状態への移動に応じて下方に移動するため、棚本体への収納等が容易となり、使い勝手が向上する。
【００３０】
請求項２記載の発明は、請求項１記載の発明の効果に加えて、アーム体は棚本体の側板の外側で移動するため、棚本体への収納等の作業をアーム体が阻害しない。
【００３１】
請求項３記載の発明は、請求項２記載の発明の効果に加えて、棚本体は移動時に傾かないため、使用状態が安定する。
【００３２】
請求項４記載の発明は、請求項２又は請求項３記載の発明の効果に加えて、アーム体への荷重はその面内に生じるため、効率的なアーム体の形状となる。
【００３３】
請求項５記載の発明は、請求項４記載の発明の効果に加えて、ローラの下方への移動に伴い、アーム体が回動する軸の位置が下方に移動するため、曲線形状によって棚本体の下方への移動量を調整できる。
【００３４】
請求項６記載の発明は、請求項３から請求項５のいずれかに記載の発明の効果に加えて、扉の閉状態への移動に要する力が軽減されるため、使い勝手が更に向上する。
【００３５】
請求項７記載の発明は、請求項１から請求項６のいずれかに記載の発明の効果に加えて、収納体の前面及び下面を塞ぐための部材を別途必要としないため、全体がコンパクトになり、効率的な構造となる。
【図面の簡単な説明】
【００３６】
【図１】この発明の第１の実施の形態による扉付収納装置を示す概略斜視図であって、（１）は閉状態を示すものであり、（２）は開状態を示すものである。
【図２】図１で示したＩＩ−ＩＩラインの拡大断面図である。
【図３】図１で示したＩＩＩ−ＩＩＩラインの拡大断面図である。
【図４】図２で示したＩＶ−ＩＶラインの拡大断面図である。
【図５】図２で示したＶ−Ｖラインから見た図である。
【図６】図５で示したＶＩ−ＶＩラインの拡大断面図である。
【図７】図５で示したＶＩＩ−ＶＩＩラインの拡大断面図である。
【図８】図３で示した第１ガイド溝の形状を示す模式図である。
【図９】図１の（１）で示した扉付収納装置の扉が中間的に開いた状態を示す概略断面図である。
【図１０】図１の（２）で示した開状態の扉付収納装置を示す概略断面図である。
【図１１】従来の昇降棚装置の開状態を示す概略斜視図である。
【図１２】図１１で示したＸＩＩ−ＸＩＩラインの拡大断面図である。
【図１３】図１１で示した昇降棚装置の閉状態を示す断面図である。
【発明を実施するための形態】
【００３７】
図１はこの発明の第１の実施の形態による扉付収納装置を示す概略斜視図であって、（１）は閉状態を示すものであり、（２）は開状態を示すものであり、図２は図１で示したＩＩ−ＩＩラインの拡大断面図であり、図３は図１で示したＩＩＩ−ＩＩＩラインの拡大断面図であり、図４は図２で示したＩＶ−ＩＶラインの拡大断面図であり、図５は図２で示したＶ−Ｖラインから見た図である。
【００３８】
これらの図を参照して、扉付収納装置１は、キッチンの壁面や天井に設置された吊戸棚８０の下面に取付けられ、吊り状態で使用されている。そして、扉付収納装置１は、収納体１０と、収納体１０の中に収納された棚本体２０と、図１の（１）で示す閉状態において収納体１０の前面を塞ぐ扉３０と、棚本体２０と扉３０の幅方向（図２の貫通方向）の各々とを接続してこれらを連動させるアーム体４０ａ、４０ｂとを備えている。そして、図１の（１）で示す閉状態から、扉３０をアーム体４０ａ、４０ｂを介して下方側に回転させることによって、図１の（２）で示す開状態となり、棚本体２０に収納された調味料等を取り出すことができる。尚、開状態の扉３０の背面は略水平になるように設定されているため、開状態においては扉３０の背面が仮置棚の機能を発揮することになる。従って、棚本体２０による収納棚機能と扉３０の背面による仮置棚機能とを有する扉付収納装置１となる。
【００３９】
尚、開状態における扉付収納装置１の各部材の状態や効果については後述するため、以降ではまず閉状態における扉付収納装置１について説明する。又、扉付収納装置１は、後述する緩衝部材１６を除いては左右対称に構成されているため、以降では特に棚本体２０と収納体１０との接続箇所及びアーム体４０ａ、４０ｂの構造等については、扉付収納装置１の左側部分（緩衝部材１６側の部分）を中心に説明する。
【００４０】
収納体１０は、その幅方向の両端に位置する側面１１ａ、１１ｂと、側面１１ａ、１１ｂを接続する逆Ｌ字形状断面の背面１２とからなり、前面、下面及び上面の前面側の一部が開放された箱形状を有している。又、側面１１ａ、１１ｂの前面側の上方の各々を接続するように、幅方向に延びる係止部材１５が図示しないネジ等で取付けられている。係止部材１５によって、扉３０の閉状態を超える上方側への移動が阻止されている。又、係止部材１５の長手方向の一方端部には、閉状態の扉３０の背面に接触する緩衝部材１６が設置されている。緩衝部材１６の内部にはバネが設けられており、その付勢力によって扉３０を閉じる際の背面と係止部材１５との接触による衝撃が緩和される。
【００４１】
又、収納体１０の側面１１ａの内面には、特定曲線形状の第１ガイド溝１７が形成されていると共に、前面側及び背面１２側の各々には上下方向に延びる第２ガイド溝１８ａ、１８ｂの各々が形成されている。第１ガイド溝１７及び第２ガイド溝１８ａ、１８ｂの各々の詳細な形状及び効果については後述する。
【００４２】
棚本体２０は、底板２１と、底板２１の幅方向の両端部に接続された側板２２ａ、２２ｂと、底板２１に接続された背板２３と、底板２１と背板２３との接続部の外方側に形成された軸受部２４とを備えている。軸受部２４は、幅方向に延びる凸部２８を有する円筒形状に形成されており、その内部にはアーム体４０ａが接続される軸体５０が設置されている。軸体５０は後述する開閉補助バネ５５を有しており、図２及び図３の破線矢印で示すように、アーム体４０ａを常に閉状態に向かう方向に付勢している。このような軸体５０の詳細な構造については後述する。又、閉状態における棚本体２０は、その全体が収納体１０の中に収納されており、底板２１が収納体１０の下面を塞いだ状態となる。
【００４３】
更に、側板２２ａの収納体１０の側面１１ａ側の外面には、収納体１０の側面１１ａの第２ガイド溝１８ａ、１８ｂの各々に対応した位置に軸２５ａ〜２５ｃが形成されている。軸２５ａは第２ガイド溝１８ａに移動自在に係合するように形成されていると共に、軸２５ｂ、２５ｃの各々の先端部には第２ガイド溝１８ｂに移動自在に係合するローラ２６ａ、２６ｂの各々が取付けられている。従って、棚本体２０は収納体１０の側面１１ａに対して、第２ガイド溝１８ａ、１８ｂの方向にのみ、即ち上下方向にのみ移動自在となる。
【００４４】
扉３０は、上述した通り、閉状態において収納体１０の前面をその外面で塞ぐように形成されている。従って、扉３０と棚本体２０の底板２１とによって、収納体１０の内部が囲われることになる。そのため、収納体１０の前面及び下面を塞ぐための部材を別途必要としないので、扉付収納装置１全体がコンパクトになり、効率的な構造となる。
【００４５】
アーム体４０ａは、収納体１０の側面１１ａと棚本体２０の側板２２ａとの間に配置され、上述した軸体５０の周りに回動自在に接続されている。更に、この接続部を中心として、扉３０の端面に接続される第１部分４１と、収納体１０の側面１１ａの第１ガイド溝１７の最上端に係合する第２部分４２とを有するＬ字板状に形成されている。従って、アーム体４０ａは、閉状態から開状態までの回動範囲において、収納体１０の側面１１ａと棚本体２０の側板２２ａとの間、即ち棚本体２０の側板２２ａの外側で移動自在となる。そのため、棚本体２０への調味料等の収納及び取出し等の作業をアーム体４０ａが阻害することが無い。
【００４６】
又、第２部分４２の先端部には、第１ガイド溝１７に移動自在に係合するローラ４４が取付けられている。このように、第２部分４２が収納体１０の側面１１ａに係合されることによって、開閉時に発生するアーム体４０ａへの荷重はその面内に生じることになる。従って、アーム体４０ａを薄い板状に形成できるので、効率的なアーム体４０ａの形状となる。
【００４７】
このように、アーム体４０ａは単体で構成されており、図１１で示した従来例の平行リンクのように複数のアームを必要としない。従って、簡易な構造の扉付収納装置１となる。
【００４８】
更に、アーム体４０ａの第１部分４１における扉３０より前方側には、幅方向に延びる扉３０の開閉補助用の把持棒３１が取付けられている。把持棒３１は、扉３０の開閉補助機能に加えて、閉状態においては布巾やレードル等を仮掛けできるため、使い勝手が良い。
【００４９】
次に、アーム体４０ａが回動自在に接続される軸体５０の詳細な構造について説明する。
【００５０】
図６は図５で示したＶＩ−ＶＩラインの拡大断面図であり、図７は図５で示したＶＩＩ−ＶＩＩラインの拡大断面図である。
【００５１】
これらの図及び図５を併せて参照して、アーム体４０ａは、上述した通り棚本体２０の軸受部２４内に設置された軸体５０に接続されている。軸体５０は、軸受部２４の外方端部に設置された円柱形状の第１接続体５１と、軸受部２４の内方側に設置された突起体５３を有する円柱形状の第２接続体５２と、第１接続体５１及び第２接続体５２間に接続された開閉補助バネ５５とを備えている。そして、アーム体４０ａは、軸体５０の第１接続体５１にピン５８によって接続されている。
【００５２】
尚、図６で示す第２接続体５２の突起体５３は、軸受部２４の凸部２８内に配置されているため、第２接続体５２は軸体５０の軸方向を中心とした回動が阻止されると共に、軸方向へは移動自在となる。一方、第１接続体５１には突起体５３が形成されていないため、軸体５０の軸方向を中心として回動自在となるが、軸方向への移動はピン５８によって阻止される。従って、アーム体４０ａが回転すると第１接続体５１のみが回転するため、第１接続体５１と第２接続体５２との間に接続された開閉補助バネ５５がねじられた状態となって付勢力を発生する。そして、この付勢力はアーム体４０ａを閉状態に向かう方向に付勢するように設定されている。尚、本実施の形態においては、閉状態においても開閉補助バネ５５に上述した付勢力が発生するように、開閉補助バネ５５を予め２〜３回程度ねじった状態で組み立てられているため、閉状態での扉３０の位置が安定する。
【００５３】
次に、特定曲線形状を有する第１ガイド溝の詳細な形状及び効果について説明する。
【００５４】
図８は図３で示した第１ガイド溝の形状を示す模式図である。
【００５５】
図を参照して、第１ガイド溝１７の中心線は、閉状態にある時（図示しない棚本体が最上方位置にある時）のアーム体４０の第２部分４２の先端部４６の位置を始点とした、下方に延びる円弧に類似した曲線形状に形成されている。従って、第１ガイド溝１７の始点は最上端に位置することになる。一方、二点鎖線で示す仮想溝８５の中心線の形状は、閉状態におけるアーム体４０の軸体５０を中心とした、軸体５０から先端部４６までの距離に相当する半径Ｒの円弧である。具体的には、仮想溝８５の最上端に位置する始点は、第１ガイド溝１７と共通であり、最下端に位置する終点は、閉状態と同一の高さ位置で軸体５０を中心に角度θ１だけ下方に回転した、二点鎖線で示すアーム体４０の先端部４６の位置となる。尚、この角度θ１は、アーム体４０を開状態（図示しない扉の背面が略水平となる状態）にするために必要な回転角度である。そして、第１ガイド溝１７の最下端に位置する終点は、仮想溝８５の終点より一点鎖線で示す垂直線上において距離Ｌ１だけ下方に位置している。
【００５６】
従って、実線で示す開状態のアーム体４０の先端部４６の位置も、二点鎖線で示す先端部より距離Ｌ１だけ下方に位置することになる。この時、上述した通り、アーム体４０は図示しない収納体の側面に対して上下にのみ移動自在に構成されているため、開状態におけるアーム体４０は、二点鎖線で示すアーム体と同一の回転角度で、且つ距離Ｌ１だけ垂直下方に移動した状態となる。即ち、上述した角度θ１と、第１ガイド溝１７に係合するアーム体４０の開状態における回転角度θ２は同一となる。更に、アーム体４０が接続された軸体５０も、破線で示す直線上において、上述した距離Ｌ１と同一の距離Ｌ２だけ垂直下方に移動することになる。
【００５７】
尚、第１ガイド溝１７は円弧に類似した曲線形状に形成されているため、閉状態から開状態に移行する間は、アーム体４０が徐々に下方に移動することになる。即ち、例えばアーム体４０が角度θ２／２だけ回転した中間的に開いた状態においては、アーム体４０の軸体５０の下方への移動距離は約Ｌ２／２となる。
【００５８】
又、上述した距離Ｌ１を変更する、即ち第１ガイド溝１７の終点の高さ位置を変更して曲線形状を調整することによって、アーム体４０の下方への移動量を容易に調整することができる。即ち、図示しない棚本体の下方への移動量を容易に調整することができる。
【００５９】
次に、扉付収納装置１の扉３０の具体的な動作概要について説明する。
【００６０】
図９は図１の（１）で示した扉付収納装置の扉が中間的に開いた状態を示す概略断面図であって、図３に対応するものである。
【００６１】
図を参照して、把持棒３１を把持した状態で、白矢印で示すように扉３０を下方側へ移動させると、アーム体４０ａがピン５８を介して図示しない軸体を中心に回転する。すると、アーム体４０ａの第２部分４２のローラ４４が第１ガイド溝１７に沿って移動する。上述した通り、第１ガイド溝１７は特定の曲線形状に形成されているため、ローラ４４が第１ガイド溝１７に沿って移動することによって、アーム体４０ａのピン５８を介して、棚本体２０が破線で示す閉状態の位置から下方へ移動する。この時、上述した通り棚本体２０は上下にのみ移動自在であるため、下方への移動時において棚本体２０が不用意に傾く虞が無い。従って、使用状態が安定する。
【００６２】
又、上述した通り、図で示す扉３０が中間的に開いた状態においても、図示しない軸体が有する開閉補助バネによって、扉３０を閉状態へ向かう方向に破線矢印で示すようにアーム体４０ａを付勢している。従って、開状態への移動時においては扉３０が自重によって急激に開く虞が低減すると共に、閉状態への移動時においては移動に要する力（扉３０を持ち上げる力）が軽減される。そのため、扉付収納装置１の使い勝手が更に向上する。
【００６３】
そして、扉３０を更に下方側へ移動させると、図１０で示す開状態となる。
【００６４】
図１０は図１の（２）で示した開状態の扉付収納装置を示す概略断面図であって、図３に対応するものである。
【００６５】
図を参照して、図９で示した状態から更に扉３０を白矢印で示すように下方側へ移動させると、アーム体４０ａのローラ４４が第１ガイド溝１７の最下端（終点）に当接する。すると、扉３０の背面が略水平となって仮置棚機能を発揮する状態となり、扉付収納装置１が開状態となる。この時、上述した通り、アーム体４０ａのピン５８の位置（棚本体２０の位置）は、二点鎖線で示す閉状態の位置より距離Ｌ２だけ下方側に移動している。即ち、棚本体２０は破線で示す閉状態の位置から距離Ｌ２だけ下方側に移動している。従って、使用者は吊戸棚８０の下面に取付けられた照明装置８１等に阻害されず、棚本体２０への調味料等の収納及び取出し等の作業が容易となり、使い勝手が向上する。
【００６６】
又、開状態における棚本体２０の位置は、閉状態での位置から前後方向には移動していないため、例えば開状態において棚本体２０が前方側に移動することによって使用者に圧迫感を与えることが無い。
【００６７】
尚、上記の実施の形態では、扉付収納装置は吊戸棚の下面に取付けて使用されているが、例えば収納体の背面を壁面に取付ける等、扉の開閉動作が発揮できる状態であれば、他の使用形態でも同様に適用できることは言うまでも無い。
【００６８】
又、上記の実施の形態では、収納体は前面、下面及び上面の一部が開放された特定形状に形成されているが、収納体は少なくとも前面及び下面が開放されていれば、他の形状であっても良い。
【００６９】
更に、上記の実施の形態では、特定構造の棚本体を備えているが、収納体の中に収納されると共に開状態への移動に伴って下方に移動できるものであれば、例えば底板のみで構成する等、他の構造であっても良い。
【００７０】
更に、上記の実施の形態では、開状態における扉の背面が略水平になることで棚の機能を発揮しているが、開状態において扉の背面が棚の機能が発揮されていれば、例えば扉の背面に側壁を形成して、開状態において若干傾斜するように設定されていても良い。
【００７１】
更に、上記の実施の形態では、特定形状のアーム体及び第１ガイド溝によって棚本体が移動するように構成されているが、棚本体が扉の開状態への移動に伴って下方に移動するように構成されていれば、第１ガイド溝は無くても良く、アーム体は他の構成によって棚本体と扉とを連動させるものであっても良い。
【００７２】
更に、上記の実施の形態では、一対のアーム体によって扉の幅方向の両端面の各々を支持するように構成されているが、一つのアーム体によって扉の幅方向の一方端面のみを支持するように構成されていても良い。
【００７３】
更に、上記の実施の形態では、アーム体は第１部分及び第２部分を有するＬ字板状に形成されているが、第１部分及び第２部分に相当する部分があれば、例えば三角板状等、他の形状に形成されていても良い。
【００７４】
更に、上記の実施の形態では、アーム体は棚本体の外側で移動するように構成されているが、棚本体の内側で移動するように構成されていても良い。
【００７５】
更に、上記の実施の形態では、アーム体は特定の軸体に接続されているが、アーム体が棚本体の幅方向に延びる所定の軸の周りに回動自在に接続されていれば、軸体は他の構造であっても良い。
【００７６】
更に、上記の実施の形態では、棚本体の側板に形成された複数の軸のうち、後方側の第２ガイド溝に係合する軸のみにローラが設けられているが、前方側の第２ガイド溝に係合する軸にもローラを設けても良い。
【００７７】
更に、上記の実施の形態では、棚本体は特定の構造で収納体の側面に取付けられているが、棚本体が収納体の側面に対して上下にのみ移動できれば、棚本体は他の構成で収納体に取付けられていても良い。又は、上下のみに限らず、棚本体が開状態への移動に伴って下方に移動できれば、例えば前後方向にも移動自在となるように構成しても良い。
【００７８】
更に、上記の実施の形態では、アーム体の第２部分はローラによって収納体の側面の第１ガイド溝に係合されているが、第２部分が収納体の側面に係合できれば、他の方法で係合されていても良い。
【００７９】
更に、上記の実施の形態では、特定構造の軸体によって扉を閉状態に向かう方向にアーム体を付勢しているが、このような付勢力が発揮できるものであれば、他の構造の軸体であっても良い。又は、このような付勢力は無くても良い。
【００８０】
更に、上記の実施の形態では、閉状態において棚本体の底板（底面）と扉の外面とによって収納体の内部が囲われているが、閉状態において少なくとも扉の外面が収納体の前面を塞ぐように構成されていれば良い。
【符号の説明】
【００８１】
１…扉付収納装置
１０…収納体
１１…側面
１７…第１ガイド溝
２０…棚本体
２２…側板
３０…扉
４０…アーム体
４１…第１部分
４２…第２部分
４４…ローラ
５０…軸体
尚、各図中同一符号は同一又は相当部分を示す。
【図１】
0005783792.tif 000002
【図２】
0005783792.tif 000003
【図３】
0005783792.tif 000004
【図４】
0005783792.tif 000005
【図５】
0005783792.tif 000006
【図６】
0005783792.tif 000007
【図７】
0005783792.tif 000008
【図８】
0005783792.tif 000009
【図９】
0005783792.tif 000010
【図１０】
0005783792.tif 000011
【図１１】
0005783792.tif 000012
【図１２】
0005783792.tif 000013
【図１３】
0005783792.tif 000014